(57)【要約】【課題】インキ制御装置並びに印刷機及び印刷方法において、簡単な構成で色調整作業の簡略化を図ることで作業性の向上を図ると共に作業者にかかる負担を軽減可能とする。【解決手段】画像表示画面３１と色調整量表示画面３２と色調整量操作画面３３を有する操作装置２３を設け、デジタルカメラ１５により印刷物Ｓの画像を取り込み、画像表示画面３１を用いて色調整を行う複数のインキキーゾーンを選択し、色調整量操作画面３３を用いて色調整を行う指示値を入力すると、演算装置１２が、選択された複数のインキキーゾーンにおけるインキ成分ごとの供給量を取込画像の画線率に基づいて設定する一方、色調整量の指示値に基づいて選択された複数のインキキーゾーンにおけるインキ成分ごとの増減量を設定し、このインキ成分ごとの供給量に増減量を加算してインキ成分ごとの供給量を変更する。【選択図】      図１
2009234123.tif 000002
【特許請求の範囲】
【請求項１】
取得した印刷物の画像に基づいて画線率を演算する画線率演算手段と、
取得画像における色調整を行うインキ領域を選択する色調整用インキ領域選択手段と、
該色調整用インキ領域選択手段により選択されたインキ領域の色調整量を設定する色調整量設定手段と、
該色調整量設定手段により設定された色調整量により前記画線率演算手段が算出した画線率データに基づいて前記色調整用インキ領域選択手段により選択されたインキ領域におけるインキ供給量を変更するインキ供給量変更手段と、
を備えることを特徴とするインキ制御装置。
【請求項２】
取得した印刷物の画像を藍と紅と黄と墨の４色に分解する画像分色手段と、該画像分色手段により分解した４色を白から黒までの明暗だけで表現するグレースケール化を行うグレースケール処理手段とを設け、前記画線率演算手段は、前記グレースケール処理手段によりグレースケール化された画像から４色ごとの画線率を演算することを特徴とする請求項１に記載のインキ制御装置。
【請求項３】
取得した印刷物の画像をインキキー領域と共に表示する表示手段を設け、前記画線率演算手段は、前記グレースケール処理手段によりグレースケール化された画像の画線率をインキ領域ごとに演算することを特徴とする請求項２に記載のインキ制御装置。
【請求項４】
取得した印刷物の画像と複数のインキ領域との相対位置を適合させる相対位置適合手段を設けることを特徴とする請求項１から３のいずれか一つに記載のインキ制御装置。
【請求項５】
前記相対位置適合手段は、画像を取得する画像取込手段が取り込んだ画像をサイズ調整することで予め設定された用紙サイズに適合させ、インキ領域を割り付けることを特徴とする請求項４に記載のインキ制御装置。
【請求項６】
前記相対位置適合手段は、前記画像取込手段が取り込んだ画像の歪みを補正することで予め設定された用紙サイズに適合させ、インキ領域を割り付けることを特徴とする請求項４または５に記載のインキ制御装置。
【請求項７】
取得した印刷物の画像に基づいて画線率を演算する画線率演算手段と、
取得画像における色調整を行うインキ領域を選択する色調整用インキ領域選択手段と、
該色調整用インキ領域選択手段により選択されたインキ領域の色調整量を設定する色調整量設定手段と、
該色調整量設定手段により設定された色調整量により前記画線率演算手段が算出した画線率データに基づいて前記色調整用インキ領域選択手段により選択されたインキ領域におけるインキ供給量を変更するインキ供給量変更手段と、
該インキ供給量変更手段により変更されたインキ供給量に基づいてインキ領域ごとにインキ供給量を調整可能なインキ供給手段とを備えることを特徴とする印刷機。
【請求項８】
印刷物の画像を取得し、この取得した画像に基づいて画線率を演算し、取得画像における色調整を行うインキ領域を選択し、選択されたインキ領域の色調整量を設定し、設定された色調整量により算出された画線率データに基づいて選択されたインキ領域におけるインキ供給量を変更し、変更されたインキ供給量に基づいてインキ領域ごとにインキ供給量を調整することを特徴とする印刷方法。
【発明の詳細な説明】
【技術分野】
【０００１】
本発明は、印刷幅方向に区画された複数のインキ領域ごとにインキ供給量を調整可能なインキ制御装置、並びにこのインキ制御装置を有する印刷機及び印刷方法に関する。
【背景技術】
【０００２】
一般的なオフセット印刷機では、印刷シートの搬送経路に沿って４つのインキ色、つまり、藍（Cyan）、紅（Magenta）、黄（Yellow）、墨（Black）ごとの印刷ユニットが配置されており、各印刷ユニットは、インキキー式のインキ供給装置を有している。このインキ供給装置では、インキキーのインキ元ローラに対する隙間量（インキキー開度）によりインキ供給量を調整することができる。従って、各インキキーにより供給量を調整されたインキは、インキローラ群を介して版胴の版面に供給され、版面に付着したインキがブランケット胴を介して絵柄として印刷シートに転写される。
【０００３】
このように構成されたオフセット印刷機のインキ供給装置では、印刷ユニットごとに印刷幅方向に沿って複数配列された複数のインキキーを有しており、印刷用紙の幅方向に区画された複数のインキ領域（インキキーゾーン）単位でインキ供給量を調整可能となっている。従って、印刷機の色調整は、オペレータの意図による色調整をプロセス色に分解した上で変化量を設定し、これを絵柄の面積率、インキ元ローラの回転数、印刷応答性など種々の要因を考慮してインキキー開度に変換するといった非常に高度なスキルが要求される。
【０００４】
図１３は、上述したような印刷機におけるインキ制御装置のインキ供給量制御のフローチャートである。この図１３に示すように、ステップＳ００１にて、印刷準備が完了すると、ステップＳ００２にて、試し刷りを行う。そして、ステップＳ００３にて、オペレータが試し刷りされた印刷物を目視し、色調整が必要かどうかを判断する。ここで、色調整が不要であると判断すれば、ステップＳ０１１にて、本刷りを実施する一方、色調整が必要であると判断すれば、ステップＳ００４以降で色調整作業を行う。
【０００５】
即ち、ステップＳ００４にて、オペレータが試し刷りされた印刷物に対して、色調整が必要なインキキーゾーンごとに色分解を行い、藍（Ｃ）、紅（Ｍ）、黄（Ｙ）、墨（Ｋ）のインキ増減量を設定する。ステップＳ００５では、各インキキーゾーンの画線率を考慮し、ステップＳ００６にて、各インキキーゾーンごとのインキキーの開度調整量を設定する。そして、ステップＳ００７〜Ｓ０１０にて、各インキキーを操作してインキキーの開度を調整する。その後、ステップＳ００２に戻って、再度、試し刷りを行い、ステップＳ００３にて、オペレータが試し刷りされた印刷物を目視し、色調整が必要かどうかを判断する。この繰り返し作業により画像の色調整を行ってオペレータの所望の色とする。
【０００６】
ところが、４つの印刷ユニットごとに、印刷用紙の幅方向に区画された複数のインキキーゾーン単位でインキ供給量を調整可能な複数のインキキーを有するインキ供給装置では、１つの印刷ユニットで、例えば、３０個のインキキーを有していた場合、４つの印刷ユニットでは１２０個のインキキーが存在することとなり、オペレータがこの１２０個のインキキーを操作して色調整することは煩雑な作業となる。その上、画像の色調整を行うためのインキキーの操作は、上述したように、絵柄の面積率、インキ元ローラの回転数、印刷応答性など種々の要因を考慮する必要から、非常に高度なスキルが要求されるものであり、オペレータに大きな作業負荷が発生してしまう。
【０００７】
そこで、出願人は、色調整作業の簡略化を図る印刷機として、下記特許文献１を出願している。この特許文献１に記載された印刷機は、ＰＰＦデータに基づいた印刷画像を表示するエリア指定画面からオペレータが色調整を行う複数のインキキーゾーン及び代表画像を選択可能であると共に、色調整操作画面の色度座標と棒グラフから色調整量の支持値を入力可能な操作パネルを設け、演算装置が、ＰＰＦデータに基づいて選択された複数のインキキーゾーンにおけるインキ成分ごとの供給量を設定する一方、色調整量の指示値に基づいて選択された複数のインキキーゾーンにおけるインキ成分ごとの増減量を設定し、このインキ成分ごとの供給量に増減量を加算してインキ成分ごとの供給量を変更し、このインキ供給量に応じてインキ供給装置を制御している。
【０００８】
【特許文献１】特開２００７−０３０４７４号公報
【発明の開示】
【発明が解決しようとする課題】
【０００９】
ところが、上述した印刷機では、ＰＰＦデータに基づいて画像データや画線率を演算し、この画線率を利用してインキキー領域ごとのインキ供給量、つまり、インキキー開度の変更量を設定している。即ち、印刷機として、印刷画像データを網点データに置き換えてＰＰＦデータを作成するＲＩＰや、オフセット印刷機のインキ供給量を設定するために、印刷画像の画線率を含んだＰＰＦデータを出力するＣＩＰ３サーバが必須なものとなる。そのため、ＲＩＰやＣＩＰ３サーバを有していないユーザでは、色調整作業の簡略化を図ることが困難となる。
【００１０】
本発明は上述した課題を解決するものであり、簡単な構成で色調整作業の簡略化を図ることで作業性の向上を図ると共に作業者にかかる負担を軽減可能としたインキ制御装置並びに印刷機及び印刷方法を提供することを目的とする。
【課題を解決するための手段】
【００１１】
上記の目的を達成するための請求項１の発明のインキ制御装置は、取得した印刷物の画像に基づいて画線率を演算する画線率演算手段と、取得画像における色調整を行うインキ領域を選択する色調整用インキ領域選択手段と、該色調整用インキ領域選択手段により選択されたインキ領域の色調整量を設定する色調整量設定手段と、該色調整量設定手段により設定された色調整量により前記画線率演算手段が算出した画線率データに基づいて前記色調整用インキ領域選択手段により選択されたインキ領域におけるインキ供給量を変更するインキ供給量変更手段と、を備えることを特徴とするものである。
【００１２】
請求項２の発明のインキ制御装置では、取得した印刷物の画像を藍と紅と黄と墨の４色に分解する画像分色手段と、該画像分色手段により分解した４色を白から黒までの明暗だけで表現するグレースケール化を行うグレースケール処理手段とを設け、前記画線率演算手段は、前記グレースケール処理手段によりグレースケール化された画像から４色ごとの画線率を演算することを特徴としている。
【００１３】
請求項３の発明のインキ制御装置では、取得した印刷物の画像をインキ領域と共に表示する表示手段を設け、前記画線率演算手段は、前記グレースケール処理手段によりグレースケール化された画像の画線率をインキ領域ごとに演算することを特徴としている。
【００１４】
請求項４の発明のインキ制御装置では、取得した印刷物の画像と複数のインキ領域との相対位置を適合させる相対位置適合手段を設けることを特徴としている。
【００１５】
請求項５の発明のインキ制御装置では、前記相対位置適合手段は、画像を取得する画像取込手段が取り込んだ画像をサイズ調整することで予め設定された用紙サイズに適合させ、インキ領域を割り付けることを特徴としている。
【００１６】
請求項６の発明のインキ制御装置では、前記相対位置適合手段は、前記画像取込手段が取り込んだ画像の歪みを補正することで予め設定された用紙サイズに適合させ、インキ領域を割り付けることを特徴としている。
【００１７】
請求項７の発明の印刷機は、取得した印刷物の画像に基づいて画線率を演算する画線率演算手段と、取得画像における色調整を行うインキ領域を選択する色調整用インキ領域選択手段と、該色調整用インキ領域選択手段により選択されたインキ領域の色調整量を設定する色調整量設定手段と、該色調整量設定手段により設定された色調整量により前記画線率演算手段が算出した画線率データに基づいて前記色調整用インキ領域選択手段により選択されたインキ領域におけるインキ供給量を変更するインキ供給量変更手段と、該インキ供給量変更手段により変更されたインキ供給量に基づいてインキ領域ごとにインキ供給量を調整可能なインキ供給手段とを備えることを特徴とするものである。
【００１８】
請求項８の発明の印刷方法は、印刷物の画像を取得し、この取得した画像に基づいて画線率を演算し、取得画像における色調整を行うインキ領域を選択し、選択されたインキ領域の色調整量を設定し、設定された色調整量により算出された画線率データに基づいて選択されたインキ領域におけるインキ供給量を変更し、変更されたインキ供給量に基づいてインキ領域ごとにインキ供給量を調整することを特徴とするものである。
【発明の効果】
【００１９】
請求項１の発明のインキ制御装置によれば、取得した印刷物の画像に基づいて画線率を演算する画線率演算手段と、取得画像における色調整を行うインキ領域を選択する色調整用インキ領域選択手段と、選択されたインキ領域の色調整量を設定する色調整量設定手段と、設定された色調整量により画線率データに基づいてインキ領域におけるインキ供給量を変更するインキ供給量変更手段とを設けている。従って、取得した印刷物の画像に基づいて画線率を演算する一方、取得画像における色調整を行うインキ領域を選択し、この選択されたインキ領域の色調整量を指示すると、そのインキ領域におけるインキ成分ごとの調整量が画線率データに基づいて自動的に設定されることとなり、画像標準データを不要として、装置の簡素化を図ることができると共に、印刷幅方向に区画された複数のインキ領域ごとのインキ供給量を容易に調整することができ、色調整作業の簡略化を図ることで作業性の向上を図ることができると共に、作業者にかかる負担を軽減することができる。
【００２０】
請求項２の発明のインキ制御装置によれば、取得した印刷物の画像を藍と紅と黄と墨の４色に分解する画像分色手段と、分解した４色を白から黒までの明暗だけで表現するグレースケール化を行うグレースケール処理手段とを設け、画線率演算手段は、グレースケール化された画像から４色ごとの画線率を演算するので、印刷様式に応じた色分解を行うことで、画線率を高精度に算出することができる。
【００２１】
請求項３の発明のインキ制御装置によれば、取得した印刷物の画像をインキ領域と共に表示する表示手段を設け、画線率演算手段は、グレースケール処理手段によりグレースケール化された画像の画線率をインキ領域ごとに演算するので、画像をインキ領域と共に表示すると共に、グレースケール化された画像の画線率をインキ領域ごとに演算することで、インキ領域ごとのインキ供給量を高精度に設定することができる。
【００２２】
請求項４の発明のインキ制御装置によれば、取得した印刷物の画像と複数のインキ領域との相対位置を適合させる相対位置適合手段を設けるので、取り込んだ画像と複数のインキ領域との相対位置を容易に適合させることができ、印刷品質を高精度とすることができる。
【００２３】
請求項５の発明のインキ制御装置によれば、相対位置適合手段は、画像取込手段が取り込んだ画像をサイズ調整することで予め設定された用紙サイズに適合させ、インキ領域を割り付けるので、画像とインキ領域との相対位置を容易に適合させることができる。
【００２４】
請求項６の発明のインキ制御装置によれば、相対位置適合手段は、画像取込手段が取り込んだ画像の歪みを補正することで予め設定された用紙サイズに適合させ、インキ領域を割り付けるので、取り込んだ画像の変形を適正に補正し、画像とインキ領域との相対位置を容易に適合させることができる。
【００２５】
請求項７の発明の印刷機は、取得した印刷物の画像に基づいて画線率を演算する画線率演算手段と、取得画像における色調整を行うインキ領域を選択する色調整用インキ領域選択手段と、選択されたインキ領域の色調整量を設定する色調整量設定手段と、設定された色調整量により画線率データに基づいてインキ領域におけるインキ供給量を変更するインキ供給量変更手段と、変更されたインキ供給量に基づいてインキ領域ごとにインキ供給量を調整可能なインキ供給手段とを設けている。従って、取得した印刷物の画像に基づいて画線率を演算する一方、取得画像における色調整を行うインキ領域を選択し、この選択されたインキ領域の色調整量を指示すると、そのインキ領域におけるインキ成分ごとの調整量が画線率データに基づいて自動的に設定されることとなり、画像標準データを不要として、装置の簡素化を図ることができると共に、印刷幅方向に区画された複数のインキ領域ごとのインキ供給量を容易に調整することができ、色調整作業の簡略化を図ることで作業性の向上を図ることができると共に、作業者にかかる負担を軽減することができる。
【００２６】
請求項８の発明の印刷方法は、印刷物の画像を取得し、この取得した画像に基づいて画線率を演算し、取得画像における色調整を行うインキ領域を選択し、選択されたインキ領域の色調整量を設定し、設定された色調整量により算出された画線率データに基づいて選択されたインキ領域におけるインキ供給量を変更し、変更されたインキ供給量に基づいてインキ領域ごとにインキ供給量を調整している。従って、インキ領域の色調整量を指示すると、そのインキ領域におけるインキ成分ごとの調整量が画線率データに基づいて自動的に設定されることとなり、画像標準データを不要として、装置の簡素化を図ることができると共に、印刷幅方向に区画された複数のインキ領域ごとのインキ供給量を容易に調整することができ、色調整作業の簡略化を図ることで作業性の向上を図ることができると共に、作業者にかかる負担を軽減することができる。
【発明を実施するための最良の形態】
【００２７】
以下に添付図面を参照して、本発明に係るインキ制御装置並びに印刷機及び印刷方法の好適な実施例を詳細に説明する。なお、この実施例により本発明が限定されるものではない。
【実施例１】
【００２８】
図１は、本発明の実施例１に係る印刷機におけるインキ制御装置を表す概略構成図、図２は、実施例１のインキ制御装置の外観図、図３−１は、実施例１のインキ制御装置の操作装置を表す概略図、図３−２は、実施例１のインキ制御装置の操作装置の作用を表す概略図、図４−１は、実施例１のインキ制御装置の操作装置における画像変形度登録画面を表す概略図、図４−２は、画像変形度登録画面を用いた画像補正方法を表す概略図、図５は、実施例１のインキ制御装置における色見台の外観図、図６は、実施例１のインキ制御装置における画像取込処理を表すフローチャート、図７は、実施例１のインキ制御装置におけるインキキーゾーンごとのインキ供給量制御の処理ブロック図、図８は、画線率に対するインキキー開度変更量を表すグラフ、図９は、実施例１のインキ制御装置によるインキ供給量制御のフローチャート、図１０は、実施例１のインキ制御装置が適用されたオフセット印刷機の概略構成図である。
【００２９】
実施例１のインキ制御装置が適用されたオフセット印刷機において、図１０に示すように、印刷シートＳの搬送経路に沿って、インキ色としての墨（Black）、藍（Cyan）、紅（Magenta）、黄（yellow）ごとに印刷ユニット１０１，２０１，３０１，４０１が設置されており、各印刷ユニット１０１，２０１，３０１，４０１は、それぞれインキ供給装置１０２，２０２，３０２，４０２が設けられている。このインキ供給装置（インキ供給手段）１０２，２０２，３０２，４０２は、インキ元ローラ１０３，２０３，３０３，４０３とインキブレード１０４，２０４，３０４，４０４からなるインキつぼ装置を有し、また、調整ねじによりインキ元ローラ１０３，２０３，３０３，４０３とインキブレード１０４，２０４，３０４，４０４との隙間量（インキキー開度）を調整可能なインキキー１０５，２０５，３０５，４０５を有している。本実施例の場合、インキキー１０５，２０５，３０５，４０５は、印刷幅方向に複数併設されており、インキキー１０５，２０５，３０５，４０５の幅単位のインキ領域、つまり、本実施形態においてはインキキーゾーンごとにインキ供給量の調整をインキキー開度の増減により調整する構成を採用する。なお、インキキーが微細幅に分割されている装置においては、例えば隣接するインキキーをセットにして選択するなど、一つのインキ領域と複数のインキキーゾーンを対応付けてインキ供給量を調整する構成を採用しても良い。
【００３０】
また、印刷シートＳの搬送経路を挟んで、上方にブランケット１０６，２０６，３０６，４０６及び版胴１０７，２０７，３０７，４０７が配置される一方、圧胴１０８，２０８，３０８，４０８が配置されている。そして、インキ供給装置１０２，２０２，３０２，４０２と版胴１０７，２０７，３０７，４０７との間にインキローラ群１０９，２０９，３０９，４０９が配置されている。従って、インキ供給装置１０２，２０２，３０２，４０２のインキキー１０５，２０５，３０５，４０５により供給量を調整されたインキは、インキローラ群１０９，２０９，３０９，４０９で適度に練られ、薄膜を形成した後に版胴１０７，２０７，３０７，４０７の版面に供給され、版面に付着したインキがブランケット胴１０６，２０６，３０６，４０６を介して絵柄として印刷シートＳに転写される。
【００３１】
このように構成された本実施例のオフセット印刷機にて、４つの印刷ユニット１０１，２０１，３０１，４０１は、それぞれインキ供給装置１０２，２０２，３０２，４０２を有し、対応して設けられたインキキー１０５，２０５，３０５，４０５は、印刷幅方向に区画された複数（本実施例では、３０ゾーン）のインキキーゾーンごとにインキ供給量を調整することができる。そして、本実施例では、試し刷りされた印刷物に対してオペレータが色調整をするとき、色調整のための一つの指示値を入力すると、色調整を行う全てのインキキーゾーン（インキ領域）のインキ成分ごとの増減量を自動的に算出し、印刷標準データ（画像情報）に基づいて設定されたインキ成分ごとの供給量に対して、このインキ成分ごとの増減量を加算してインキ成分ごとのインキ供給量を設定するようにしている。
【００３２】
即ち、本実施例のオフセット印刷機において、図１及び図２に示すように、インキ制御装置１１は、第１パラレルパスラインＰ１を介して印刷ユニット１０１，２０１，３０１，４０１に接続され、インキキー１０５，２０５，３０５，４０５の開度を操作する調整ねじを制御するインキキー開度コントローラによるインキキー開度の制御や、インキ元ローラ１０３，２０３，３０３，４０３の回転量を操作する駆動装置を制御するインキ元ローラ回転コントローラによるインキ元ローラの回転数などの制御が可能となっている。そして、このインキ制御装置１１は、インキキーゾーンごとの色調整量を設定してインキ供給量を制御する演算装置１２を有しており、この演算装置１２には、データベース１３及び入出力ポート１４が接続され、入出力ポート１４が第１パラレルパスラインＰ１に接続されている。
【００３３】
この場合、各印刷ユニット１０１，２０１，３０１，４０１は、第１パラレルパスラインＰ１を介してインキ制御装置１１の入出力ポート１４に接続されており、本発明のインキ供給量変更手段は、この印刷ユニット１０１，２０１，３０１，４０１のインキキー開度コントローラにより構成される。
【００３４】
また、入出力ポート１４には、印刷物の画像を取得するデジタルカメラ（画像取込手段）１５が接続されている。そして、演算装置１２は、画像分色部１６と、グレースケール処理部１７、画線率演算部１８を有している。画像分色部１６は、デジタルカメラ１５により取得した印刷物の画像を藍と紅と黄と墨の４色に分解する。グレースケール処理部１７は、この画像分色部１６により分解された４色を白から黒までの明暗だけで表現するグレースケール化を行う。画線率演算部１８は、グレースケール処理部１７によりグレースケール化された画像から４色ごとの画線率をインキ領域ごとに演算する。
【００３５】
また、演算装置１２は、基準インキ供給量設定部１９、インキ増減量設定部２０、インキ増減量加算部２１、インキ供給量制御部２２を有している。基準インキ供給量設定部１９は、デジタルカメラ１５により取り込まれた画像の画線率に基づいて複数のインキキーゾーンにおけるインキ成分ごとのインキ供給量を算出する。インキ増減量設定部２０は、オペレータによる色調整の指示値に基づいて選択された複数のインキキーゾーンにおけるインキ成分ごとのインキ増減量を設定する。インキ増減量加算部２１は、基準インキ供給量設定部１９が算出した各インキキーゾーンにおけるインキ成分ごとのインキ供給量に、インキ増減量設定部２０が設定した各インキキーゾーンにおけるインキ成分ごとのインキ増減量を加算し、インキ成分ごとのインキ供給量を変更する。インキ供給量制御部２２は、変更されたインキ成分ごとのインキ供給量に応じて各インキ供給装置１０２，２０２，３０２，４０２における多数のインキキー１０５，２０５，３０５，４０５が供給するインキ供給量を制御する。この場合、インキキーゾーンの画線率及びインキ元ローラ回転数に応じて基本のインキキー開度が設定されるものであり、画線率、インキ元ローラ回転数、インキキー開度が上昇するとインキ供給量が増加する。
【００３６】
このインキ制御装置１１は、オペレータから入力される操作情報を遠隔で受け付け演算装置１２などにより処理可能とする操作装置２３を有している。この操作装置２３は、上下２つのタッチパネル２３ａ，２３ｂから構成されている。そして、この操作装置２３は、複数のインキキーゾーンをタッチパネル２３ａ，２３ｂに表示する表示機能（表示手段）と、表示されたインキキーゾーンに対応してオペレータがタッチパネル２３ａ，２３ｂを指先で選択操作して色調整を行う複数のインキキーゾーンを選択する色調整部選択機能（色調整用インキ領域選択手段）を有している。なお、図２において、演算装置１２には、ハブ２４が接続され、このハブ２４にパラレルパスラインＰ１が接続されている。
【００３７】
なお、本実施例では、図５に示すように、絵柄が印刷された印刷物を載置し、デジタルカメラ１５により印刷物の画像を取り込むための色見台２５が設けられている。この色見台２５は、印刷物Ｓを載置可能な作業台２６と、この印刷物Ｓを貼り付け可能な作業パネル２７を有している。また、この色見台２５の上部には、作業台２６に載置された印刷物Ｓを撮影するデジタルカメラ１５が移動調整自在、つまり、位置調整自在に設けられている。このデジタルカメラ１５は、作業台２６に載置された印刷物Ｓを撮影し、この撮影画像を演算装置１２に出力することができ、演算装置１２は、この撮影画像を操作装置２３における後述する画像表示画面３１に表示することができる。
【００３８】
この場合、この演算装置１２は、印刷物Ｓの絵柄（画像）と複数のインキキー領域との相対位置を適合させる相対位置適合手段として機能する。即ち、演算装置１２は、デジタルカメラ１５が取り込んだ画像を、拡大あるいは縮小してサイズ調整することで、インキキーゾーンに割付し、予め設定された用紙サイズに適合させる。また、演算装置１２は、デジタルカメラ１５が取り込んだ画像に歪等があるときには、この画像を台形補正処理してサイズ調整することで、インキキーゾーンに割付し、予め設定された用紙サイズに適合させる。
【００３９】
即ち、画像取込処理において、図６に示すように、ステップＳ１にて、デジタルカメラ１５により作業台２６に載置された印刷物Ｓを撮影して撮影画像を演算装置１２に出力する。ステップＳ２にて、作業台２６の印刷物Ｓのエッジ位置からその画像サイズを認識する一方、実際に印刷を行う用紙サイズを取得する。なお、このステップＳ２にて、予め、インキキーゾーンと撮影位置（領域）との関係を校正しておき、印刷用紙を作業台２６の決められた位置に載置することで、所定のサイズの画像を取得するようにしてもよい。
【００４０】
ステップＳ３にて、撮影画像の画像サイズを用紙サイズに変換することで、サイズ調整する。この場合、上述したように、撮影画像を拡大あるいは縮小したり、台形補正処理をおこなうことでサイズ調整する。ステップＳ４では、変換した画像に対してインキキーゾーンを割付する。
【００４１】
そして、ステップＳ５では、画像分色部１６が、この画像を藍と紅と黄と墨の４色に分解し、ステップＳ６では、グレースケール処理部１７が、分解された４色を白から黒までの明暗だけで表現するグレースケール化を行い、ステップＳ７では、画線率演算部１８が、グレースケール化された画像から４色ごとの画線率をインキキーゾーンごとに演算する。その後、ステップＳ８にて、画像表示画面３１に表示する。
【００４２】
ここで、本実施例のオフセット印刷機を操作する操作装置２３について詳細に説明する。図１乃至図３−１に示すように、操作装置２３は、指先で画面をタッチすることで操作可能なタッチパネル式のディスプレイであって、複数のインキキーゾーンを表示する画像表示画面３１と、設定された色調整量をインキキーゾーンごとに表示する色調整量表示画面３２と、色調整量の操作を行う色調整量操作画面３３とを有している。
【００４３】
画像表示画面３１は、図３−１に示すように、複数に区画されたインキキーゾーンを表示することができると共に、図３−２に示すように、デジタルカメラ１５により撮影した画像を表示することができる。この場合、インキ供給装置１０２，２０２，３０２，４０２の各インキキー１０５，２０５，３０５，４０５が、印刷幅方向に区画された３０個のインキキーゾーンごとにインキ供給量を調整することから、印刷画像を３０個のインキキーゾーンに区画する補助線が表示されると共に、インキキーゾーン番号（ＮＯ，１〜３０）が表示されるようになっている。また、画像表示画面３１の側方には、印刷シートＳの表と裏を選択するシート選択スイッチ３４ａ，３４ｂと、４つのインキ色としての墨（Ｋ）、藍（Ｃ）、紅（Ｍ）、黄（Ｙ）単独で画像を表示するための色選択スイッチ３５が設けられている。
【００４４】
また、図３−１に示すように、画像表示画面３１の側方には、印刷物Ｓを撮影して画像を取り込む画像取得スイッチ４７が設けられると共に、取り込んだ印刷物Ｓの画像と複数のインキキー領域（用紙サイズ）との相対位置を適合（相対位置適合手段）させる補正作業を行うための画像変形度登録スイッチ４８が設けられている。即ち、画像取得スイッチ４７を押すことで、色見台２５のデジタルカメラ１５が作動し、作業台２６に載置された印刷物Ｓを撮影して画像を取り込むことができる。また、画像変形度登録スイッチ４８を押すことで、この取込画像を補正する画像変形度登録画面をその上側に重ねて表示することができる。
【００４５】
即ち、図４−１に示すように、画像変形度登録画面５１にて、中央部には、補正後の画像を表示する補正画像表示部５２が設けられると共に、下部に元画像（取込画像）を表示する元画像表示部５３が設けられている。そして、補正画像表示部５２の左方には、色見台２５におけるデジタルカメラ１５の位置を調整するカメラ位置調整スイッチ５４が設けられている。また、補正画像表示部５２の外側における四方の四隅には、画像隅部変形調整スイッチ５５，５６，５７，５８が設けられている。また、元画像表示部５３の右方には、画像隅部変形調整スイッチ５５，５６，５７，５８の１回のスイッチ操作による変形量を設定する移動量調整スイッチ５９，６０，６１が設けられている。また、元画像表示部５３の右方には、リセットスイッチ６２及び表示更新スイッチ６３が設けられている。また、元画像表示部５３の下方には、ＯＫスイッチ６４及びキャンセルスイッチ６５が設けられている。
【００４６】
従って、図３−１に示すように、画像表示画面３１にデジタルカメラ１５による撮影画像が表示されている状態で、オペレータは、画像変形度登録スイッチ４８を押し、画像変形度登録画面５１を表示する。すると、図４−１に示すように、補正画像表示部５２及び元画像表示部５３にも、デジタルカメラ１５の撮影画像が表示される。このとき、補正画像表示部５２における画像が適正でなければ、カメラ位置調整スイッチ５４により色見台２５におけるデジタルカメラ１５の位置を調整し、表示更新スイッチ６３を押す。そして、オペレータは、まず、移動量調整スイッチ５９，６０，６１により移動量を調整しながら、画像隅部変形調整スイッチ５４，５５，５６，５７を操作する取込画像を補正する。即ち、図４−２の左部から中央部に示すように、画像の隅部の点を外側に移動して台形補正を行う。また、図４−２の右部に示すように、画像全体を拡大（縮小）して拡大縮小補正を行う。そのため、取込画像は、インキキーゾーンに割付けされるように、補正がなされ、予め設定された用紙サイズに適合することとなる。
【００４７】
その後、この画像補正が適正であれば、ＯＫスイッチ６４を押すことで、画像補正を終了する一方、画像補正が不適正であれば、リセットスイッチ６２を押すことで、画像補正作業をもう一度やり直す。また、補正作業をやめる場合には、キャンセルスイッチ６５を押し、画像変形度登録画面５１を閉じる。なお、ＯＫスイッチ６４を押すと、画像隅部変形調整スイッチ５４，５５，５６，５７による調整量が登録された後、画像変形度登録画面５１が閉じる。即ち、デジタルカメラ１５を移動しなければ、次の印刷物Ｓの画像取込時に、この補正作業を実行する必要はなく、画像表示画面３１に自動的に補正後の画像が表示される。
【００４８】
そして、取込画像の補正処理がなされると、画像表示画面３１に、例えば、多数の果物がバスケットに入れられた画像が表示されることとなり、この果物の画像にて、ある特定の果物の色を調整したいとき、オペレータは、指先で色調整したい果物が存在するインキキーゾーンＮＯ，７〜１４をタッチして選択することで、色調整を行うインキキーゾーンを設定することができる。
【００４９】
色調整量表示画面３２には、４つのインキ色としての墨（Ｋ）、藍（Ｃ）、紅（Ｍ）、黄（Ｙ）に対応して、画像のインキキーゾーンごとの色調整量を表示する４つの表示部３６，３７，３８，３９が設けられている。この場合、各表示部３６，３７，３８，３９における水平線が前回の調整基準値で、今回調整する色調整量の増量が上方に伸びる棒グラフとして表示され、色調整量の減量が下方に伸びる棒グラフとして表示される。また、この色調整量表示画面３２の下方には、調整した各インキ色の調整量を０にリセットするリセットスイッチ４０が設けられている。なお、色調整量表示画面３２でも、画像表示画面３１と同様に、色調整を行うインキキーゾーンを選択することができる。
【００５０】
色調整量操作画面３３には、４つのインキ色としての墨（Ｋ）、藍（Ｃ）、紅（Ｍ）、黄（Ｙ）の色調整量（増量または減量）を設定するための８つの調整スイッチ４１ａ，４１ｂ，４２ａ，４２ｂ，４３ａ，４３ｂ，４４ａ，４４ｂが設けられている。また、この色調整量操作画面３３上方には、ユニット別スイッチ４５が設けられると共に、側方には、送信スイッチ４６が設けられている。
【００５１】
なお、本実施例では、画像表示画面３１及び色調整量表示画面３２が、本発明の色調整用インキ領域選択手段として機能し、色調整量操作画面３３が色調整量設定手段として機能する。
【００５２】
従って、画像表示画面３１（または、色調整量表示画面３２）にて、色調整を行うインキキーゾーンが選択されると、オペレータは、色調整量操作画面３３の各調整スイッチ４１ａ，４１ｂ，４２ａ，４２ｂ，４３ａ，４３ｂ，４４ａ，４４ｂのいずれかをタッチすることで、各インキ色ごとに色調整の指示値（増減値または減量値）を入力することができる。すると、この各調整スイッチ４１ａ，４１ｂ，４２ａ，４２ｂ，４３ａ，４３ｂ，４４ａ，４４ｂの操作に応じて、その指示値、つまり、インキ成分としての墨（Ｋ）、藍（Ｃ）、紅（Ｍ）、黄（Ｙ）ごとの増減量が色調整量表示画面３２に表示される。この場合、選択したインキキーゾーンごとの色調整作業を複数回行ったときには、インキ成分としての墨（Ｋ）、藍（Ｃ）、紅（Ｍ）、黄（Ｙ）ごとの増減量が加算された状態で色調整量表示画面３２に表示される。この場合、選択したインキキーゾーンごとの色調整作業を複数回行ったときには、インキ成分としての墨（Ｋ）、藍（Ｃ）、紅（Ｍ）、黄（Ｙ）ごとの増減量が加算された状態で、即ち、インキ成分ごとの色調整量の総量が色調整量表示画面３２に表示される。そして、送信スイッチ４６を操作することで、この色調整量表示画面３２に表示された色調整量の総量、つまり、インキキー開度を一括送信することができる。
【００５３】
本実施例では、上述したように複数のインキキーゾーンを選択し、この選択したインキキーゾーンに対して一括して色調整のための同一の指示値を設定すると、インキキーゾーンごとに異なる最適な色調整が自動的に設定される。即ち、複数のインキキーゾーンに対して色調整のための同一の指示値を設定しても、インキキーゾーンごとに画線率が異なるため、この画線率、インキ元ローラ回転数に応じて異なる最適なインキ供給量、つまり、インキキー開度を設定している。
【００５４】
図７に示すように、処理ブロックＰ２１では、オペレータが色調整量操作画面３３により入力した指示値に基づいて現在のインキ色の濃度との濃度差（インキ膜厚差）を換算処理する。また、処理ブロックＰ２２では、デジタルカメラ１５により取り込まれた画像に基づいてインキキーゾーンごとの画線率を計算する。更に、処理ブロックＰ２３では、インキ供給装置１０２，２０２，３０２，４０２におけるインキ元ローラ回転数を出力する。
【００５５】
そして、処理ブロックＰ２４では、選択された複数のインキキーゾーンにて、インキキーゾーンごとのインキキー開度変更量を計算する。この場合、画線率とインキ元ローラ回転数を用いて予め設定されたパラメータテーブルにより制御ゲインを設定し、濃度差とこの制御ゲインを用いてインキキー開度変更量を求めている。本実施例では、この計算方法を図８に示すようなマップとし、このマップを用いて画線率に対するインキキー開度変更量を設定する。その後、処理ブロックＰ２５では、現在のインキキー開度に設定したインキキー開度変更量を加算することで、処理ブロックＰ２６にて、修正インキキー開度を設定する。
【００５６】
なお、このインキキー開度を設定する処理にて、本実施例では、画線率に対するインキキー開度変更量を予め設定されたマップを用いて設定するようにしたが、画線率とインキ元ローラ回転数などを用いてパラメータテーブルにより計算式を用いてインキキー開度変更量を求めてもよい。
【００５７】
以下、本実施例のオフセット印刷機におけるインキ制御装置１１によるインキ供給量制御方法について、図９のフローチャートを用いて説明する。インキ制御装置１１によるインキ供給量制御方法において、図９に示すように、ステップＳ１１にて、版胴への刷版の取付やプレインキングなどの印刷前準備が完了すると、ステップＳ１２にて、印刷物Ｓを色見台２５の作業台２６に載置し、デジタルカメラ１５によりその絵柄を撮影する。そして、ステップＳ１３にて、デジタルカメラ１５により取り込んだ画像をサイズ調整することで、印刷物Ｓの画像と複数のインキキーゾーンとの相対位置適合処理を実行する。
【００５８】
そして、ステップＳ１４にて、図示しない試し刷りスイッチを操作することで、デジタルカメラ１５により取り込まれた画像の試し刷りを実施する。この試し刷り作業は、デジタルカメラ１５により取り込まれた画像の画線率に基づいて設定された基準のインキ供給量により各インキ供給装置１０２，２０２，３０２，４０２のインキキー開度コントローラ及びインキ元ローラ回転コントローラを制御し、印刷ユニット１０１，２０１，３０１，４０１を稼動して実施する。
【００５９】
この試し刷りが終了すると、オペレータは、ステップＳ１５にて、この印刷物の画像を目視評価することで、色調整作業が必要かどうかを判断する。ここで、試し刷りされた印刷画像に対して色調整作業が不要であると判断した場合には、ステップＳ２３に移行して図示しない本刷りスイッチを操作して本刷りを実施する。一方、試し刷りされた印刷画像に対して色調整作業が必要であると判断した場合には、ステップＳ１６以降で、印刷物の画像の色調整作業を開始する。
【００６０】
まず、ステップＳ１６にて、操作装置２３の画像表示画面３１に複数のインキキーゾーンを区画する補助線及びインキキーゾーン番号（ＮＯ，１〜３０）を表示する。ステップＳ１７にて、オペレータは、色見台２５に載置された印刷物における果物の絵柄に対して所定の果物の色を調整したいとき、画像表示画面３１にて、色調整を行うインキキーゾーンを指先でタッチすることで、色調整を行うインキキーゾーンを選択する。
【００６１】
ステップＳ１８にて、オペレータは、ユニット別スイッチ４５を操作してから、指先で色調整量操作画面３３にて、調整したいインキ色における調整スイッチ４１ａ，４１ｂ，４２ａ，４２ｂ，４３ａ，４３ｂ，４４ａ，４４ｂをタッチすることで、色調整のための指示値を入力する。すると、色調整量表示画面３３の表示部３６，３７，３８，３９に各インキ色の調整量が表示される。このとき、設定した色調整のための指示値を元に戻して調整をやり直したい場合には、リセットスイッチ４０を操作する。
【００６２】
そして、ステップＳ１９では、特定の果物以外に色調整を行う箇所があるかどうかを判断し、その他に色調整を行う箇所がある場合には、ステップＳ１７に戻り、画像表示画面３１における特定のインキキーゾーンを選択し、前述と同様に、色調整量操作画面３３で調整スイッチ４１ａ，４１ｂ，４２ａ，４２ｂ，４３ａ，４３ｂ，４４ａ，４４ｂを用いて指示値を入力する。このとき、色調整のために選択したインキキーゾーンがオーバーラップしたときには、最後に調整した指示値が優先して処理される。また、色調整のために選択したインキキーゾーンがオーバーラップしたときには、全ての指示値を平均化して処理してもよい。
【００６３】
一方、ステップＳ１９にて、その他に色調整を行う箇所がない場合には、ステップＳ２０にて、演算装置１２は、色調整の指示値に基づいて選択された複数のインキキーゾーンに対応してインキ成分ごとのインキ増減量を算出し、各インキキーゾーンにおけるインキ成分ごとのインキ供給量にこのインキ増減量を加算し、インキ成分ごとのインキ供給量を変更する。そして、このインキ成分ごとのインキ供給量に応じてインキキーゾーンにおけるインキキー１０５，２０５，３０５，４０５の開度変更量を算出し、インキキー開度を設定する。
【００６４】
ステップＳ２１では、送信スイッチ４６を操作し、設定したインキキー開度を一括して印刷ユニットのインキキー開度コントローラに送信する。このとき、色調整作業を複数回行ったときには、インキ成分としての墨（Ｋ）、藍（Ｃ）、紅（Ｍ）、黄（Ｙ）ごとの増減量が加算された状態（色調整量の総量）で色調整量表示画面３２に表示され、送信スイッチ４６を操作することで、この色調整量表示画面３２に表示された色調整量の総量を一括送信することができる。そして、ステップＳ２２にて、変更されたインキ成分ごとのインキキー開度に基づいて各インキ供給装置１０２，２０２，３０２，４０２における多数のインキキー１０５，２０５，３０５，４０５のインキキー開度を変更する。
【００６５】
その後、ステップＳ１４に戻り、オペレータが試し刷りボタンを操作することで試し刷りを実施する。この試し刷り作業は、色調整作業で変更されたインキ供給量により各インキ供給装置１０２，２０２，３０２，４０２のインキキー開度コントローラ及びインキ元ローラ回転コントローラを制御し、印刷ユニット１０１，２０１，３０１，４０１を稼動して実施する。
【００６６】
２回目の試し刷りが終了すると、オペレータは、ステップＳ１５にて、この印刷物の画像を目視評価することで、色調整作業が必要かどうかを判断する。ここで、新たに試し刷りされた印刷画像に対して再び色調整作業が必要であると判断した場合には、上述したように、ステップＳ１６以降で、印刷画像の色調整作業を開始する一方、試し刷りされた印刷画像に対して色調整作業が不要であると判断した場合には、ステップＳ２３に移行して本刷りを実施し、作業を完了する。
【００６７】
このように実施例１のインキ制御装置を有するオフセット印刷機にあっては、印刷幅方向に区画された複数のインキキーゾーンごとにインキ供給量を調整可能なインキキー１０５，２０５，３０５，４０５を有するインキ供給装置１０２，２０２，３０２，４０２にて、画像表示画面３１と色調整量表示画面３２と色調整量操作画面３３を有する操作装置２３を設け、デジタルカメラ１５により印刷物Ｓの画像を取り込み、画像表示画面３１を用いて色調整を行う複数のインキキーゾーンを選択し、色調整量操作画面３３を用いて色調整を行う指示値を入力すると、演算装置１２が、選択された複数のインキキーゾーンにおけるインキ成分ごとの供給量を取込画像の画線率に基づいて設定する一方、色調整量の指示値に基づいて選択された複数のインキキーゾーンにおけるインキ成分ごとの増減量を設定し、このインキ成分ごとの供給量に増減量を加算してインキ成分ごとの供給量を変更し、変更されたインキ成分ごとの供給量に応じてインキ供給装置１０２，２０２，３０２，４０２を制御するようにしている。
【００６８】
この場合、演算装置１２が、選択された複数のインキキーゾーンにおけるインキ成分ごとの供給量を設定する一方、色調整量の指示値に基づいて選択された複数のインキキーゾーンにおけるインキ成分ごとの増減量を設定し、このインキ成分ごとの供給量に増減量を加算してインキ成分ごとの供給量を変更し、インキキー開度を変更するようにしている。
【００６９】
従って、デジタルカメラ１５により取り込んだ印刷物Ｓの画像から演算した画線率に基づいて、複数のインキキーゾーンにおけるインキ成分ごとの基準となるインキ供給量を設定することとなり、ＰＰＦデータなどの画像標準データを不要として、ＲＩＰやＣＩＰ３サーバを設ける必要がなくなり、装置の簡素化を図ることができる。
【００７０】
そして、選択された複数のインキキーゾーンに対して、色調整を行うための指示値を入力すると、この各インキキーゾーンにおけるインキ成分ごとの増減量が設定されることとなり、印刷幅方向に区画された複数のインキキーゾーンごとのインキ供給量を容易に調整することができ、色調整作業の簡略化を図ることで作業性の向上を図ることができると共に、作業者にかかる負担を軽減することができる。
【００７１】
また、本実施例では、画像表示画面３１により色調整を行う２つ以上のインキキーゾーンを選択し、この選択されたインキキーゾーンの色調整量を、同一の指示値と画線率とインキ元ローラの回転数に基づいて各インキキーゾーンに異なる最適なものとして設定している。従って、画線率の異なる各インキキーゾーンのインキ供給量を容易に、且つ、短時間で調整することができ、作業性を向上することができる。
【００７２】
この場合、複数のインキキーゾーンを選択し、この選択されたインキキーゾーンに対して同量の色調整量の指示値を指示しても、各インキキーゾーンに画像の画線率が相違するため、適正なインキ供給量を設定することができない。そこで、この実施例１では、複数のインキキーゾーンに対して指示された色調整量のための同一の指示値を、画線率とインキ元ローラ回転数、制御ゲインパラメータを用いてインキキーゾーンごとに異なる最適値として計算し、最適なインキ供給量を設定することで適正なインキ供給量を設定することができる。
【００７３】
そして、実施例１のインキ制御装置を有するオフセット印刷機にあっては、４つのインキ色としての墨（Ｋ）、藍（Ｃ）、紅（Ｍ）、黄（Ｙ）に対応して、画像のインキキーゾーンごとの色調整量を表示する４つの表示部３６，３７，３８，３９を有する色調整量表示画面３２を設け、選択したインキキーゾーンごとの色調整作業を行った全ての調整量を加算し、インキ成分ごとの色調整量の総量としてこの色調整量表示画面３２に表示し、送信スイッチ４６を操作することで、この色調整量表示画面３２に表示された色調整量の総量を演算装置１２に一括送信するようにしている。従って、色調整量の総量を演算装置１２に一括送信することで、インキキーゾーンごとの色調整作業を複数回行ったり、色調整量を訂正したり、リセットしたりすることができ、作業性を向上することができる。
【００７４】
また、演算装置１２が、実施例１のインキ制御装置では、デジタルカメラ１５が取り込んだ印刷物Ｓの絵柄と複数のインキキーゾーンとの相対位置を適合させるようにしている。従って、容易に印刷物Ｓの絵柄と複数のインキキーゾーンとの相対位置を適合させることができ、演算装置１２は、印刷絵柄画像を画像表示画面３１に適正に表示することができ、色調整を行う複数のインキキーゾーンを容易に選択することができる。
【実施例２】
【００７５】
図１１は、本発明の実施例２に係る印刷機におけるインキ制御装置における操作装置を表す概略図である。なお、前述した実施例で説明したものと同様の機能を有する部材には同一の符号を付して重複する説明は省略する。
【００７６】
実施例２のインキ制御装置における操作装置では、図１１に示すように、操作装置２３の画像表示画面３１に、デジタルカメラにより取り込んだ画像Ａと画像Ｂの２つの画像を表示可能となっている。例えば、画像Ａは、テストシートとして提供された印刷物をデジタルカメラにより取り込んだ画像であり、画像Ｂは、色調整作業を実行した後に印刷した印刷物をデジタルカメラにより取り込んだ画像である。オペレータは、この画像Ａと画像Ｂとを目視により評価することで、色調整作業を実行した後の印刷物の画像Ｂを、テストシートとして提供された印刷物の画像Ａにより近いものに調整することができる。
【実施例３】
【００７７】
図１２は、本発明の実施例３に係る印刷機におけるインキ制御装置における操作装置を表す概略図である。なお、前述した実施例で説明したものと同様の機能を有する部材には同一の符号を付して重複する説明は省略する。
【００７８】
実施例３のインキ制御装置における操作装置では、図１２に示すように、操作装置２３の画像表示画面３１に、デジタルカメラにより取り込んだ画像のうちのある一部分の画像を、個別に画像ａ，ｂ，ｃ，ｄとして表示可能となっている。これによりオペレータは、各画像ａ，ｂ，ｃ，ｄに応じて個別に色調整作業を実行することができる。
【００７９】
なお、上述した各実施例では、画像取込手段として、デジタルカメラ１５を適用したが、本発明は、この構成に限定されるものではなく、例えば、デジタルスキャナを用いたり、色調管理装置、印刷品質評価装置などを用いてもよい。
【００８０】
また、上述した各実施例では、色調整装置として、４つのインキ色としての墨（Ｋ）、藍（Ｃ）、紅（Ｍ）、黄（Ｙ）の色調整量（増量または減量）を設定するための４種類の調整スイッチ４１ａ，４１ｂ，４２ａ，４２ｂ，４３ａ，４３ｂ，４４ａ，４４ｂを設けたが、この構成に限定されるものではない。例えば、藍（Ｃ）、紅（Ｍ）、黄（Ｙ）の色調整量を増減する調整スイッチに加えて、その中間色である青（Ｂｌｕｅ）、赤（Ｒｅｄ）、緑（Ｇｒｅｅｎ）の色調整量を増減する調整スイッチを設けてもよく、色調整度合を表示する度合表示部を設けてもよい。また、色調整を行う操作前表示部と操作後表示部を設け、調整後の印刷色との色の違いを、ＣＩＥＬＡＢ色空間での偏差値を用いて表示してもよい。更に、各インキ色としての藍（Ｃ）、紅（Ｍ）、黄（Ｙ）に対応して、色相、明度、彩度に基づいて色調整量を設定するようにしてもよい。
【産業上の利用可能性】
【００８１】
本発明に係るインキ制御装置並びに印刷機及び印刷方法は、画像標準データを用いることなく、印刷画像の色調整を行うためのインキ領域に対して色調整量の指示値を入力するだけで、このインキ領域におけるインキ成分ごとの増減量を設定可能とするものであり、いずれの印刷機にも適用することができる。
【図面の簡単な説明】
【００８２】
【図１】本発明の実施例１に係る印刷機におけるインキ制御装置を表す概略構成図である。
【図２】実施例１のインキ制御装置の外観図である。
【図３−１】実施例１のインキ制御装置の操作装置を表す概略図である。
【図３−２】実施例１のインキ制御装置の操作装置の作用を表す概略図である。
【図４−１】実施例１のインキ制御装置の操作装置における画像変形度登録画面を表す概略図である。
【図４−２】画像変形度登録画面を用いた画像補正方法を表す概略図である。
【図５】実施例１のインキ制御装置における色見台の外観図である。
【図６】実施例１のインキ制御装置における画像取込処理を表すフローチャートである。
【図７】実施例１のインキ制御装置におけるインキキーゾーンごとのインキ供給量制御の処理ブロック図である。
【図８】画線率に対するインキキー開度変更量を表すグラフである。
【図９】実施例１のインキ制御装置によるインキ供給量制御のフローチャートである。
【図１０】実施例１のインキ制御装置が適用されたオフセット印刷機の概略構成図である。
【図１１】本発明の実施例２に係る印刷機におけるインキ制御装置における操作装置を表す概略図である。
【図１２】本発明の実施例３に係る印刷機におけるインキ制御装置における操作装置を表す概略図である。
【図１３】従来の印刷機におけるインキ制御装置のインキ供給量制御のフローチャートである。
【符号の説明】
【００８３】
１１  インキ制御装置
１２  演算装置
１５  デジタルカメラ（画像取込手段）
１６  画像分色部
１７  グレースケール処理部
１８  画線率演算部
１９  基準インキ供給量設定部
２０  インキ増減量設定部
２１  インキ増減量加算部
２２  インキ供給量制御部
２３  操作装置
２５  色見台（相対位置適合手段）
３１  画像表示画面（色調整用インキ領域選択手段、表示手段）
３２  色調整量表示画面（色調整用インキ領域選択手段）
３３  色調整量操作画面（色調整量設定手段）
１０１，２０１，３０１，４０１  印刷ユニット
１０２，２０２，３０２，４０２  インキ供給装置
１０５，２０５，３０５，４０５  インキキー
１０６，２０６，３０６，４０６  ブランケット
１０７，２０７，３０７，４０７  版胴
１０８，２０８，３０８，４０８  圧胴
【図１】
2009234123.tif 000003
【図２】
2009234123.tif 000004
【図３−１】
2009234123.tif 000005
【図３−２】
2009234123.tif 000006
【図４−１】
2009234123.tif 000007
【図４−２】
2009234123.tif 000008
【図５】
2009234123.tif 000009
【図６】
2009234123.tif 000010
【図７】
2009234123.tif 000011
【図８】
2009234123.tif 000012
【図９】
2009234123.tif 000013
【図１０】
2009234123.tif 000014
【図１１】
2009234123.tif 000015
【図１２】
2009234123.tif 000016
【図１３】
2009234123.tif 000017